【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
基地局によって実行されるワイヤレス通信の方法であって、
第1のリソースパターンの1つまたは複数の第1のリソース、または、
第2のリソースパターンの1つまたは複数の第2のリソース
のうちの1つから選択されたリソースを使用して、ウェイクアップ信号を送信するステップであって、
前記リソースが、前記ウェイクアップ信号が第1のUEグループに関連付けられたユーザ機器(UE)のためのものかまたは第2のUEグループに関連付けられた前記UEのためのものかに少なくとも部分的に基づいて、前記1つまたは複数の第1のリソース、または前記1つまたは複数の第2のリソースから選択され、
前記1つまたは複数の第1のリソースが、サブフレームの第1のセットの中にあり、
前記1つまたは複数の第2のリソースが、サブフレームの第2のセットの中にあり、
前記ウェイクアップ信号が前記UEのためにアクティブモードの中にあるべきかを示す、
ステップと、
前記ウェイクアップ信号に少なくとも部分的に基づいて、通信を前記UEに送信するステップとを含む、
方法。
【請求項２】
前記1つまたは複数の第1のリソースが、時間領域において前記1つまたは複数の第2のリソースと交互になる、
請求項1に記載の方法。
【請求項３】
前記第1のリソースパターンが、第1のアンテナポートに関連付けられ、
前記第2のリソースパターンが、第2のアンテナポートに関連付けられる、
請求項1に記載の方法。
【請求項４】
前記ウェイクアップ信号が、前記UEのための同期信号または基準信号とは異なるアンテナポートを使用して送信される、
請求項1に記載の方法。
【請求項５】
前記ウェイクアップ信号が、少なくとも単一のサブフレーム内で同じアンテナポートを使用して送信される、
請求項1に記載の方法。
【請求項６】
前記1つまたは複数の第1のリソースの数、または前記1つまたは複数の第2のリソースの数が、構成可能である、または事前定義される、
請求項1に記載の方法。
【請求項７】
前記1つまたは複数の第1のリソースおよび前記1つまたは複数の第2のリソースが、物理リソースブロックを含む、
請求項1に記載の方法。
【請求項８】
前記1つまたは複数の第1のリソースが、周波数領域において前記1つまたは複数の第2のリソースと交互になる、
請求項1に記載の方法。
【請求項９】
前記1つまたは複数の第1のリソース、または前記1つまたは複数の第2のリソースのうちのリソースが、時間領域および周波数領域において変化する、
請求項1に記載の方法。
【請求項１０】
前記ウェイクアップ信号のプリアンブルが、前記ウェイクアップ信号が関連付けられる、前記第1のUEグループおよび前記第2のUEグループのうちのUEグループを識別する、
請求項1に記載の方法。
【請求項１１】
前記ウェイクアップ信号のプリアンブルが、前記UEが関連付けられるセルを識別する、
請求項1に記載の方法。
【請求項１２】
前記第1のUEグループおよび第2のUEグループを識別する構成情報が、システム情報において提供される、
請求項1に記載の方法。
【請求項１３】
前記ウェイクアップ信号の送信電力が、前記基地局によって送信されるダウンリンク基準信号に対する電力オフセットに少なくとも部分的に基づいて構成される、
請求項1に記載の方法。
【請求項１４】
前記第1のUEグループおよび前記第2のUEグループのうちのUEグループが、前記UEのページング狭帯域に少なくとも部分的に基づいて、前記UEに割り当てられる、
請求項1に記載の方法。
【請求項１５】
ユーザ機器(UE)によって実行されるワイヤレス通信の方法であって、
前記UEを含むUEグループに関連付けられたウェイクアップシグナリングのためのリソースパターンの特定のリソースを監視するステップであって、前記リソースパターンが、前記UEグループに関連付けられ、前記特定のリソースはサブフレームのセットの中にある、ステップと、
ウェイクアップ信号を受信するステップであって、前記ウェイクアップ信号が、前記UEに関連付けられたセル識別子またはUEグループ識別子のうちの少なくとも1つに対応し、少なくとも前記セル識別子の一部分または前記UEグループ識別子の一部分が、前記ウェイクアップ信号によって示され、
前記UEは、前記ウェイクアップ信号により示される前記セル識別子の一部分または前記UEグループ識別子の一部分に対応するリソースを介して、アクティブ状態で動作するステップと
を備える方法。
【請求項１６】
前記UEグループ識別子の前記一部分が、前記ウェイクアップ信号のプリアンブルによって示される、
請求項１５に記載の方法。
【請求項１７】
前記UEが前記UEグループに関連付けられることを示す構成情報が、システム情報において前記UEによって受信される、
請求項１５に記載の方法。
【請求項１８】
前記UEグループが、前記UEのページング狭帯域のパラメータに少なくとも部分的に基づいて、かつUEグループの数に少なくとも部分的に基づいて、前記UEに割り当てられる、
請求項１５に記載の方法。
【請求項１９】
前記UEが、UEグループの総数に少なくとも部分的に基づいて、前記UEグループを決定するように構成され、
前記UEが、システム情報または構成情報に少なくとも部分的に基づいて、前記UEグループの総数を識別する、
請求項１５に記載の方法。
【請求項２０】
前記UEグループが、前記ウェイクアップ信号が検出される前に構成される、または定義される、
請求項１５に記載の方法。
【請求項２１】
前記ウェイクアップ信号が、前記ウェイクアップ信号のプリアンブルのパラメータにさらに少なくとも部分的に基づいて受信され、
前記UEが、前記プリアンブルの前記パラメータを検出するように構成される、
請求項１５に記載の方法。
【請求項２２】
前記ウェイクアップ信号を受信することに少なくとも部分的に基づいて、通信を受信するためにウェイクアップを実行するステップと、
前記通信を受信するステップとをさらに含む、
請求項１５に記載の方法。
【請求項２３】
前記リソースパターンは、アンテナポートと関連付けられる
請求項１５に記載の方法。
【請求項２４】
ワイヤレス通信のための基地局であって、前記基地局は、
メモリと、
前記メモリに動作可能に結合された1つまたは複数のプロセッサとを備え、前記メモリおよび前記1つまたは複数のプロセッサが、
第1のリソースパターンの1つまたは複数の第1のリソース、または、
第2のリソースパターンの1つまたは複数の第2のリソース
のうちの1つから選択されたリソースを使用して、ウェイクアップ信号を送信することであって、
前記リソースが、前記ウェイクアップ信号が第1のUEグループに関連付けられたユーザ機器(UE)のためのものかまたは第2のUEグループに関連付けられた前記UEのためのものかに少なくとも部分的に基づいて、前記1つまたは複数の第1のリソース、または前記1つまたは複数の第2のリソースから選択され、
前記1つまたは複数の第1のリソースが、サブフレームの第1のセットの中にあり、
前記1つまたは複数の第2のリソースが、サブフレームの第2のセットの中にあり、
前記ウェイクアップ信号が前記UEのためにアクティブモードの中にあるべきかを示す、
送信することと、
前記ウェイクアップ信号に少なくとも部分的に基づいて通信を前記UEに送信することとを行うように構成される、
基地局。
【請求項２５】
前記1つまたは複数の第1のリソースが、時間領域において前記1つまたは複数の第2のリソースと交互になる、
請求項24に記載の基地局。
【請求項２６】
前記第1のリソースパターンが、第1のアンテナポートに関連付けられ、
前記第2のリソースパターンが、第2のアンテナポートに関連付けられる、
請求項24に記載の基地局。
【請求項２７】
前記ウェイクアップ信号が、前記UEのための同期信号または基準信号とは異なるアンテナポートを使用して送信される、
請求項24に記載の基地局。
【請求項２８】
前記ウェイクアップ信号が、少なくとも単一のサブフレーム内で同じアンテナポートを使用して送信される、
請求項24に記載の基地局。
【請求項２９】
前記1つまたは複数の第1のリソースの数、または前記1つまたは複数の第2のリソースの数が、構成可能である、または事前定義される、
請求項24に記載の基地局。
【請求項３０】
前記1つまたは複数の第1のリソースおよび前記1つまたは複数の第2のリソースが、物理リソースブロックを含む、
請求項24に記載の基地局。
【請求項３１】
前記1つまたは複数の第1のリソースが、周波数領域において前記1つまたは複数の第2のリソースと交互になる、
請求項24に記載の基地局。
【請求項３２】
前記1つまたは複数の第1のリソース、または前記1つまたは複数の第2のリソースのうちのリソースが、時間領域および周波数領域において変化する、
請求項24に記載の基地局。
【請求項３３】
前記ウェイクアップ信号のプリアンブルが、前記ウェイクアップ信号が関連付けられる、前記第1のUEグループおよび前記第2のUEグループのうちのUEグループを識別する、
請求項24に記載の基地局。
【請求項３４】
前記ウェイクアップ信号のプリアンブルが、前記UEが関連付けられるセルを識別する、
請求項24に記載の基地局。
【請求項３５】
前記第1のUEグループおよび第2のUEグループを識別する構成情報が、システム情報において提供される、
請求項24に記載の基地局。
【請求項３６】
前記ウェイクアップ信号の送信電力が、前記基地局によって送信されるダウンリンク基準信号に対する電力オフセットに少なくとも部分的に基づいて構成される、
請求項24に記載の基地局。
【請求項３７】
前記第1のUEグループおよび前記第2のUEグループのうちのUEグループが、前記UEのページング狭帯域に少なくとも部分的に基づいて、前記UEに割り当てられる、
請求項24に記載の基地局。
【請求項３８】
ワイヤレス通信のためのユーザ機器(UE)であって、前記UEは、
メモリと、
前記メモリに動作可能に結合された1つまたは複数のプロセッサとを備え、前記メモリおよび前記1つまたは複数のプロセッサが、
前記UEを含むUEグループに関連付けられたウェイクアップシグナリングのためのリソースパターンの特定のリソースを監視することであって、前記リソースパターンが、前記UEグループに関連付けられ、前記特定のリソースはサブフレームのセットの中にある、ことと、
ウェイクアップ信号を受信することであって、前記ウェイクアップ信号が、前記UEに関連付けられたセル識別子またはUEグループ識別子のうちの少なくとも1つに対応し、少なくとも前記セル識別子の一部分または前記UEグループ識別子の一部分が、前記ウェイクアップ信号によって示され、
前記UEは、前記ウェイクアップ信号により示される前記セル識別子の一部分または前記UEグループ識別子の一部分に対応するリソースを介して、アクティブ状態で動作することとを行うように構成される、
UE。
【請求項３９】
前記UEグループ識別子の前記一部分が、前記ウェイクアップ信号のプリアンブルによって示される、
請求項３８に記載のUE。
【請求項４０】
前記UEが前記UEグループに関連付けられることを示す構成情報が、システム情報において前記UEによって受信される、
請求項３８に記載のUE。
【請求項４１】
前記UEグループが、前記UEのページング狭帯域のパラメータに少なくとも部分的に基づいて、かつUEグループの数に少なくとも部分的に基づいて、前記UEに割り当てられる、
請求項３８に記載のUE。
【請求項４２】
前記UEが、UEグループの総数に少なくとも部分的に基づいて、前記UEグループを決定するように構成され、
前記UEが、システム情報または構成情報に少なくとも部分的に基づいて、前記UEグループの総数を識別する、
請求項３８に記載のUE。
【請求項４３】
前記UEグループが、前記ウェイクアップ信号が検出される前に構成される、または定義される、
請求項３８に記載のUE。
【請求項４４】
前記ウェイクアップ信号が、前記ウェイクアップ信号のプリアンブルのパラメータにさらに少なくとも部分的に基づいて受信され、
前記UEが、前記プリアンブルの前記パラメータを検出するように構成される、
請求項３８に記載のUE。
【請求項４５】
前記1つまたは複数のプロセッサが、
前記ウェイクアップ信号を識別することに少なくとも部分的に基づいて、通信を受信するためにウェイクアップを実行し、
前記通信を受信するようにさらに構成される、
請求項３８に記載のUE。
【請求項４６】
前記リソースパターンは、アンテナポートと関連付けられる
請求項３８に記載のUE。